(57)【要約】【課題】プラスチック製密封包装容器入り食品を容器に入れたまま、電子レンジにかけて加熱しても、破裂や容器変形のおそれがなく、電子レンジにかけて加熱又は調理後に包装容器から他の容器に移すことなく包装容器を食器として活用することができる電子レンジ対応容器を提供する。【解決手段】電子レンジ対応容器は、フランジ付容器本体と蓋体からなり、蓋体はその内方へＶ字形にへこんだ形状のＶ字形輪郭部を備える。このＶ字形輪郭部に沿って容器本体のフランジと蓋体間はシールされ、Ｖ字形シール部が形成されていると共に、Ｖ字形シール部の外側に容器本体のフランジ面の一部が露出している。【選択図】  図１
2005035567.tif 000002
【特許請求の範囲】
【請求項１】
フランジ付容器本体と蓋体からなり、蓋体はその内方へへこんだ形状の凹陥輪郭部を備え、この凹陥輪郭部に沿って容器本体のフランジと蓋体間はシールされ、Ｖ字形シール部が形成されていると共に、このシール部の外側に容器本体のフランジ面の一部が露出していることを特徴とする電子レンジ対応包装容器。
【請求項２】
Ｖ字形シール部の内側突端部はフランジの内側縁の近傍に位置していることを特徴とする請求項１に記載の電子レンジ対応包装容器。
【請求項３】
Ｖ字形シール部の内側突端部の近傍のフランジ面に蓋体のフランジへの密着を防止するためのフィルム閉塞防止用突起が設けられていることを特徴とする請求項１又は２に記載の電子レンジ対応包装容器。
【請求項４】
容器本体はフランジの外周部から起立した周壁を備えることを特徴とする請求項１乃至３の何れか一項に記載の電子レンジ対応包装容器。
【請求項５】
通気穴付きオーバーキャップを備え、該オーバーキャップは容器本体のフランジとの係止部、該係止部に連続する周壁及び該周壁に連続する天部からなり天部に通気穴が形成されていることを特徴とする請求項１乃至４の何れか一項に記載の電子レンジ対応包装容器。
【請求項６】
容器本体がバリア性を有するインモールドラベル成形用ラベルを用いて成形したインモールドラベル射出成形容器又はシート成形容器であることを特徴とする請求項１乃至５の何れか一項に記載の電子レンジ対応包装容器。
【請求項７】
容器本体がバリア性樹脂層を含む多層射出成形容器であることを特徴とする請求項１乃至５の何れか一項に記載の電子レンジ対応容器。
【請求項８】
容器本体がカップ型容器であることを特徴とする請求項１乃至７の何れか一項に記載の電子レンジ対応包装容器。
【請求項９】
蓋体は耐熱性基材層とシーラント層からなることを特徴とする請求項１乃至８の何れか一項に記載の電子レンジ対応包装容器。
【請求項１０】
シーラント層は、変性ポリプロピレン、ポリプロピレン／ポリエチレン又はポリブテン、又は変性エチレン酢酸共重合体からなるイージーピールシーラント層であることを特徴とする請求項９に記載の電子レンジ対応包装容器。
【請求項１１】
耐熱性基材層とシーラント層の間に、室温以下の温度環境では所定の強度を有するが、高温の温度環境では前記所定の強度が低下する高温軟化樹脂層を少なくとも一部領域に設けたことを特徴とする請求項９に記載の電子レンジ対応包装容器。
【請求項１２】
前記高温軟化樹脂層は、６０〜９０℃の融点を有する材料からなることを特徴とする請求項１１に記載の電子レンジ対応包装容器。
【請求項１３】
高温軟化樹脂層は、エチレン−酢酸ビニル形共重合体樹脂、またはポリアミド、硝化面及びポリエチレンワックスを含有する樹脂からなることを特徴とする請求項１２に記載の電子レンジ対応包装容器。
【発明の詳細な説明】
【０００１】
【発明の属する技術分野】
本発明は、電子レンジ対応容器に関し、更に詳しくは、電子レンジで加熱時に、食品を密封包装した状態のまま電子レンジにて加熱可能な包装容器に関する。
【０００２】
【従来の技術】
カップ型容器又はプラスチック成形容器等の包装容器で包装され、冷凍状態で、又はチルド又は常温で流通販売され、電子レンジで加熱されて食される、例えばスープ、ミルク、ミルクコーヒー、ミルクティー、果汁等の食品又は冷凍食品がある。こうした食品は、通常、電子レンジで加熱又は加熱調理される。しかし、包装容器内に食品を密封した状態で電子レンジで加熱されると、容器内の内圧が、空気の膨張や食品からの水蒸気の発生によって高まり、ついには容器の破裂によって食品が飛散するという好ましくない事態が起こる恐れがある。そのため容器の蓋を取った後容器の口部をポリエチレン、ポリプロピレン、ポリ塩化ビニリデン、ポリ塩化ビニール等のラップフィルムやオーバーキャップで覆い電子レンジで加熱することが一般に行われている。
【０００３】
外層が耐熱性の熱可塑性樹脂フィルムからなり、内層がシーラントフィルムからなり、そして中間層には剥離剤層を設けてなる積層プラスチックフィルムよりなる包材からなる蓋体をシーラントフィルム層が内側となるように容器本体の周縁と張り合わせた後、周縁を熱溶着によりシールしてなるチルド食品入り電子レンジ加熱対応プラスチック容器が知られている（特許文献１、請求項６参照）。
【０００４】
上記の特許文献１に記載の従来の容器は、剥離層を設けた部分のラミネート強度が弱く且つシールバーによりシール面をシールしたとき剥離層部分のヒートシール強度が弱まり、その結果電子レンジ加熱時、食品入り容器内に生じた内圧により水蒸気等のガス抜きの貫通細孔がシール面近傍に位置するシーラントフィルム層部分が切れて剥離剤に沿って生じるもので、水蒸気は形成された貫通細孔を通って包材の端面から放出される（特許文献１、段落「０００６」参照）。
【０００５】
【特許文献１】
特開平９−２７２１８０号（請求項６、段落「０００６」）
【０００６】
【発明が解決しようとする課題】
上記のように従来の電子レンジ対応包装容器は形成されているので、カップ型容器と蓋体からなり、更に蓋体で密封された容器本体にオーバーキャップが嵌着され、蓋体及び容器フランジの端面がオーバーキャップにより覆われるタイプの容器に上記の従来の発明を適用した場合、水蒸気は、蓋体と容器フランジの間を通り、蓋体及び容器フランジの端面から出た水蒸気はその進行をオーバーキャップ壁内面によって妨げられることになり、スムーズな水蒸気の放出が出来ない。その結果、カップ型容器が内圧がスムーズに低下せず容器の破裂はなくとも容器の形状を変形させてしまう恐れがある。また、蓋体の貫通細孔が密着し内容物が冷めるときに容器の減圧変形が生じてしまう。
【０００７】
本発明の目的は、プラスチック製密封包装容器入り食品を容器に入れたまま、電子レンジにかけて加熱しても、破裂や容器変形のおそれがなく、電子レンジにかけて加熱又は調理後に包装容器から他の容器に移すことなく包装容器を食器として活用することができる電子レンジ対応容器を提供することである。
【０００８】
【課題を解決するための手段】
請求項１に記載の発明は、上記の課題を解決するもので、フランジ付容器本体と蓋体からなり、蓋体はその内方へへこんだ形状の凹陥輪郭部を備え、この凹陥輪郭部に沿って容器本体のフランジと蓋体間はシールされ、Ｖ字形シール部が形成されていると共に、このシール部の外側に容器本体のフランジ面の一部が露出していることを特徴とする電子レンジ対応包装容器を要旨とする。本発明において、シール部の内側輪郭がＶ字形になっていればよく、蓋体の凹陥輪郭部の外形はＶ字形輪郭になっていなくてもよい。
【０００９】
本発明において、Ｖ字形シール部の内側突端部はフランジの内側縁の近傍に位置させるのが望ましい。
【００１０】
本発明において、Ｖ字形シール部の内側突端部の近傍のフランジ面に蓋体のフランジへの密着を防止するためのフィルム閉塞防止用突起を設けられても良い。
【００１１】
本発明の電子レンジ対応容器によれば、包装容器内に冷凍食品、チルド食品又は常温流通食品を封入し、容器ごと電子レンジにかけて加熱することができる。本発明の電子レンジ対応包装容器入り食品を電子レンジにより加熱すると、電子レンジによる加熱の過程で発生した水蒸気は、蓋体下面とフランジ面の間を通って、Ｖ字形シール部の突端部に作用すると共に蓋体の応力が突端部に集中し、内圧の上昇及び高温の温度環境における蓋体のシール強度の低下により突端部から蓋体が剥離し、外気に通気可能な構造が形成される。水蒸気は、突端部を通ってＶ字形シール部の外側に放出される。そのとき水蒸気は蓋体の周縁にではなく蓋体の内側のＶ字形シール部で囲まれたフランジ面に放出されるので、通気用穴付き用オーバーキャップを冠着した状態で電子レンジにかけることができる。またそれのみならず容器本体を変形させることがないので、電子レンジにかけて加熱又は調理後に包装容器から他の容器に移すことなく包装容器を食器として活用することができる。
【００１２】
本発明において、容器本体はバリア性を有するインモールドラベル成形用ラベルを用いて成形したインモールドラベル射出成形容器又はシート成形容器であることが望ましい。
【００１３】
本発明において、容器本体としてバリア性樹脂層を含む多層射出成形容器を適用することができる。
【００１４】
また、本発明において、蓋体は耐熱性基材層とシーラント層からなるものを活用することができる。シーラント層としては、変性ポリプロピレン、ポリプロピレン／ポリエチレン又はポリブテン、又は変性エチレン酢酸共重合体からなるイージーピールシーラント層を適用することができる。
【００１５】
本発明において、耐熱性基材層とシーラント層の間に、室温以下の温度環境では所定の強度を有するが、高温の温度環境では前記所定の強度が低下する高温軟化樹脂層を少なくとも一部領域に設けてもよい。その場合、高温軟化樹脂層の材料として、６０〜９０℃の融点を有する材料、例えば、エチレン−酢酸ビニル形共重合体樹脂、またはポリアミド、硝化面及びポリエチレンワックスを含有する樹脂を使用することができる。
【００１６】
本発明の電子レンジ対応包装容器は、スープ、ミルク、ミルクコーヒー、ミルクティー、果汁、カレー、みそ汁等の食品、茶碗蒸し、燗酒、焼売等の食品に適用することができる。
【００１７】
【発明の実施の形態】
図１乃至図４は本発明の電子レンジ対応包装容器を示し、図１は電子レンジ対応包装容器の分解斜視図である。図２は電子レンジ対応包装容器の容器本体を示し、（Ａ）は平面図、（Ｂ）は図１（Ａ）に図示のＡ−Ａ線矢視断面図である。図３は蓋体の平面図である。図４は通気穴付きオーバーキャップを示する図５は蓋体で密封した容器本体の平面図である。
【００１８】
本発明の電子レンジ対応包装容器は、フランジ付容器本体１と蓋体２と通気穴付きオーバーキャップからなる。図１乃至図４に示す実施の形態においては、容器本体１は、フランジ４と錐面壁６ａ及び垂直壁６ｂからなる胴部と底部７からなるフランジ付一面面取り型カップ型容器に形成され、容器本体１のフランジ４の一部領域４ａは円弧形に形成されている。蓋体２は、図３に示すように、その内方へＶ字形にへこんだ形状のＶ字形輪郭部を備える。８はシール部を示しその一部は内側に突出した突端部を有するＶ字形シール部９を形成している。また蓋体２には蓋体２を容器本体から取りはずすときにつかむつかみ片１０が設けられている。通気穴付きオーバーキャップ３は図４に示すように、容器本体１のフランジとの係止部１３と係止部１３に連続する周壁１１と周壁１１に連続する天部１２からなり、天部１２の中央には通気穴が設けられており、通気穴１４には図１に示すように通気穴閉塞用舌片１４が設けられている。図５は容器本体１のフランジ４に蓋体２を載置しシールした状態を示す平面図である。示すこの密閉蓋１４は容器の保管時或いは搬送時にオーバーキャップ３内に埃等が浸入することを防止する。
【００１９】
Ｖ字形シール部９の内側突端部はフランジの内側縁の近傍に位置させることが望ましい。また、図８に示すようにＶ字形シール部９の内側突端部の近傍のフランジ面４ａに蓋体２のフランジへの密着を防止するためのフィルム閉塞防止用突起１７を設けてもよい。尚、フィルム閉塞防止用突起１７は円形突起、角型突起、三角突起等の任意の形状に形成することができる。
【００２０】
図６は容器本体１に内容物１５を入れ、蓋体２で密封し、通気穴付きオーバーキャップ３を嵌着した状態を示す拡大側断面図である。尚８ａはシール部断面を示す。
【００２１】
本発明の電子レンジ対応包装容器入り食品を電子レンジにより加熱すると、図７に示すように、電子レンジによる加熱の過程で発生した水蒸気は、蓋体２下面とフランジ面４ａの間を通って、Ｖ字形シール部９の内側突端部に作用すると共に蓋体２の応力が突端部に集中し、内圧の上昇及び高温の温度環境における蓋体２のシール強度の低下により突端部から蓋体２が剥離し、外気に通気可能な構造が形成される。そして、水蒸気１６は、突端部２を通ってＶ字形シール部９の外側に放出される。そのとき水蒸気１６は蓋体の周縁にではなくＶ字形シール部９で囲まれたフランジ面に放出され、オーバーキャップ３の通気穴１４を通して外に放出されるので、通気用穴付き用オーバーキャップ３を冠着した状態で電子レンジにかけることができる。また、電子レンジから包装容器入り食品を電子レンジから取り出して冷却したとき、フィルム閉塞防止葉突起５の効果により外部からエアーが包装容器内に入り、容器本体１を変形させることがないので、電子レンジにかけて加熱又は調理後に包装容器から他の容器に移すことなく包装容器を食器として活用することができる。
【００２２】
図９は、容器本体を角形容器に形成した例を示し、図９（Ａ）は容器本体の平面図、図９（Ｂ）は図９（Ａ）に示すＡ−Ａ線矢視断面図である。図１０は蓋体の平面図である。この例においてもＶ字形シール部に対応する蓋体２の角部は内方へへこんでいる。
【００２３】
次に容器本体１について説明する。容器本体１は、（ａ）バリア層を有するインモールド形成用ラベルを用いて形成したインモールドラベル射出成形容器又は（ｂ）シート成形容器、又は（ｃ）バリア性樹脂層を含む多層射出成形容器で構成することができる。
【００２４】
図１０はバリア層を有するインモールドラベル成形用ラベルを用いて形成したインモールド成形射出成形容器の例を示す。この容器は、射出成形金型内にインモールドラベル成形用ラベルを取付け、射出成形金型内に成形材料を射出し成形する際に、射出成形品の表面にラベルの貼り付け動作を同時に行う、所謂インモールドラベル成形をしてなるもので、射出成形品はその外側にインモールドラベル成形用ラベル１８ａ、１８ｂを有する。
【００２５】
射出成形品は、ポリエチレン、ポリプロピレン、ポリカーボネート等からなるものを適用し得る。
【００２６】
インモールドラベル成形用ラベル１８ａ、１８ｂの材料は、一般に、印刷基材層、バリア層、射出樹脂との接合層からなる。これらの各層は、それぞれ独立して製膜し、接着剤層を介してドライラミネートするか、又は、その一部もしくは全層を共押出することで形成することができる。ここにおいて印刷基材層は用途・目的に応じて省略することができる。
【００２７】
バリアー層としては、ポリアクリロニトリル系樹脂、エチレン酢酸ビニル共重合体鹸化物、ポリ塩化ビニリデンフィルム、ポリ塩化ビニリデンコート二軸延伸プラスチックフィルム、シリカ蒸着ポリエチレンテレフタレートフィルム、アルミナ蒸着ポリエチレンテレフタレートフィルム、ＭＸＤ６系ナイロン（メタキシレンジアミンとアジピン酸との重縮合反応で生成するアミド構造単位を９０モル％以上含有するポリアミド若しくはポリアミド共重合体）等からなるものがあげられる。
【００２８】
接着層としては、射出樹脂と接着するものであれば特に限定されないが、通常、射出樹脂と同材質のプラスチックや、エチレン酢酸ビニル共重合体を含有するポリエチレン等の接着性を有する樹脂を共押出加工、或いはコーティング加工したプラスチックフィルム等が好適である。
【００２９】
上記の各層は、常法に従い、ドライラミネーション法、押出コーティング法その他のコーティング法に従って形成される。
【００３０】
次に容器本体１として用いるシート成形容器について説明する。この容器は、シート成形金型に軟化溶融したプラスチックシートを取付け、真空や圧空の差圧により容器形状に成形してなるものである。
【００３１】
シート成形容器はポリエチレンテレフタレート、ポリプロピレン、ポリカーボネート等のプラスチックシートからなるもので、特にポリエチレンテレフタレートは、水蒸気、酸素、香臭気、紫外線等の透過防止性に優れるので好適である。また、プラスチックシートを多層にしプラスチックシートの中間層にエチレン酢酸ビニル共重合体層を設けることで、更に酸素等の透過防止性を向上させることができる。
【００３２】
次にフランジ付容器本体として用いることができる多層射出成形容器について説明する。この容器の器壁は容器内側層、バリア層、容器外側層の三層からなり、容器内側層及び容器外側層としてポリエチレン、ポリプロピレン等の熱可塑性樹脂を適用し得る。またバリア層としてエチレン酢酸ビニル共重合体鹸化物、ポリ塩化ビニリデンフィルム、ポリ塩化ビニリデンコート二軸延伸プラスチックフィルム等を適用し得る。
【００３３】
次に蓋体２について説明する。この蓋体は、外層を構成する耐熱性基材層と内層を構成するシーラント層からなる。
【００３４】
耐熱性基材層としては、融点が１６０℃以上のもので、一般に冷凍食品、チルド食品或いは常温流通食品の包装用フィルムとして使用されているものであれば、特に限定されないが、耐熱性、強度物性、透明性、印刷適性、防湿性の点からポリエチレンテレフタレートフィルム、シリカ蒸着ポリエチレンテレフタレートフィルム、アルミナ蒸着ポリエチレンテレフタレートフィルム、二軸延伸ポリエチレンテレフタレートフィルム、二軸延伸ナイロンフィルム等が好ましく使用することができる。
【００３５】
またシーラント層としては、変性ポリプロピレン、ポリプロピレン／ポリエチレン又はポリブテン、又は変性エチレン酢酸共重合体からなるイージーピールシーラント層を使用することができる。
【００３６】
耐熱性基材層とシーラント層の間に、室温以下の温度環境では所定の強度を有するが、高温の温度環境では前記所定の強度が低下する高温軟化樹脂層を少なくとも一部領域に設けてもよい。
【００３７】
前記室温以下の温度とは、通常、包装容器を用いて食品等の内容物を包装する工程時の環境温度や、内容物を密封包装した後の内容物入り包装容器の冷凍工程時の環境温度や、冷凍食品の輸送、保管する際の環境温度である。こうした温度環境では、前記高温軟化樹脂層は、所定の強度が保持される。一方、前記所定の強度が低下する高温の温度環境とは、食品等のの内容物を密封包装した包装容器を、電子レンジで加熱又は加熱調理する際に加わる温度であり、こうした高温の温度環境下では前記高温軟化樹脂層の強度は低下することとなる。
【００３８】
前記高温軟化樹脂層として、６０〜９０℃の融点を有する材料、例えばエチレン−酢酸ビニル形共重合体樹脂、またはポリアミド、硝化面及びポリエチレンワックスを含有する樹脂からなる樹脂を用いることができる。
【００３９】
耐熱性基材層とシーラント層の間に前記高温軟化樹脂層を介在させる場合、シーラント層としては、低密度ポリエチレンフィルム、超低密度ポリエチレンフィルム、直鎖状低密度ポリエチレンフィルム、中密度ポリエチレンフィルム、高密度ポリエチレンフィルム、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルアクリレート共重合体フィルム、アイオノマーフィルムのの何れか一種以上のフィルムを使用することができ、その場合、単層シーラント層又は多層シーラント層とすることができる。シーラント層の厚さは、通常は２０〜６０μｍである。このシーラント層は、前記高温軟化樹脂層を耐熱性基材層とシーラント層の間に介在させた、シール面の近辺に位置する部分が包装内容物である食品を電子レンジにかけて加熱したときに初めて水蒸気等の内圧によってシーラント層に亀裂が生じる程度の強度を有するものであればよい。
【００４０】
また、高温軟化樹脂層に代えて、耐熱性基材層とシーラント層の間にポリアミド／シリコン系剥離ワニス「Ｘ２１８ＰＥ｝（東洋インキ（株）製）、アクリル／ウレタン系「シュリンクＥＸメジウム」（東洋インキ（株）製、「リオッシュ」（東洋エフ・シー・シー（株）製炭酸カルシウム入りシェラック樹脂系化食インキ等の剥離剤を介在させても良い。
【００４１】
【実施例】
ドライラミネート法で各種フィルムを貼り合わせて、二軸延伸ポリプロピレン／接着剤／シリカ蒸着ポリエチレンテレフタレートフィルム／接着剤／シートシール層を有する二軸延伸ポリポリプロピレンフィルム（厚さ７２μｍ）からなるラベル材の片側に印刷を施し、更にその上にエチレン酢酸ビニル共重合体をコートしてインモールドラベル成形用ラベルを作製した。このインモールドラベル成形用ラベルを用い射出樹脂としてポリプロピレンを用いてインモールドラベル射出成形を行い、図１に示すようなフランジ付一面面取り型カップ型容器本体を作製した。一方蓋体はナイロン１５μｍ／エチレンビニルアルコール共重合体鹸化物（ＥＶＯＨ）１５μｍ／シーラント層（エチレンプロピレン共重合体系オレフィン樹脂）３０μｍの層構成の材料を用いて、図３に示すように、内方へＶ字形にへこんだ形状のＶ字形輪郭部を備え、Ｖ字形輪郭部に沿って形成した蓋体の内側に突出した突端部を有するＶ字形シール部９を備える蓋体を形成した。容器本体内にスープ３００ｃｃを入れて、前記蓋体を被せ、シールした。更に図１に示すようにポリプロピレン製の通気穴付きオーバーキャップ３を被せた状態で５００Ｗ電子レンジにかけて加熱した結果、約２分後に電子レンジによる加熱の過程で発生した水蒸気は、蓋体２下面とフランジ面４ａの間を通って、Ｖ字形シール部９の内側突端部に作用すると共に蓋体２の応力が突端部に集中し、また、内圧の上昇及び高温の温度環境における蓋体２のシール強度の低下により突端部から蓋体２が剥離し、外気に通気可能な構造が形成され、水蒸気１６は、突端部２を通ってＶ字形シール部９の外側に放出され、容器本体の変形なくスープを温めることができた。
【００４２】
【発明の効果】
以上詳細に説明したように、本発明の電子レンジ対応包装容器は、フランジ付容器本体と蓋体からなり、蓋体はその内方へへこんだ形状の凹陥輪郭部を備え、この凹陥輪郭部に沿って容器本体のフランジと蓋体間はシールされ、Ｖ字形シール部が形成されていると共に、このシール部の外側に容器本体のフランジ面の一部が露出していることを特徴とするものであるので、包装容器内に冷凍食品、チルド食品又は常温流通食品を封入し、容器ごと電子レンジにかけて加熱することができる。本発明の電子レンジ対応包装容器入り食品を電子レンジにより加熱すると、電子レンジによる加熱の過程で発生した水蒸気は、蓋体下面とフランジ面の間を通って、Ｖ字形シール部の内側突端部に作用すると共に蓋体の応力が突端部に集中し、内圧の上昇及び高温の温度環境における蓋体のシール強度の低下により突端部から蓋体が剥離し、外気に通気可能な構造が形成される。そして、水蒸気は、突端部を通ってＶ字形シール部の外側に放出される。そのとき水蒸気は蓋体の周縁にではなくＶ字形シール部で囲まれたフランジ面に放出され、オーバーキャップの通気穴を通して外に放出される。また、電子レンジが包装容器入り食品を取り出した後、フィルム閉塞防止用突起により蓋体が容器本体のフランジに密着せず、外部から包装容器内にエアーが入ることにより、容器本体を変形させることがないので、電子レンジにかけて加熱又は調理後に包装容器から他の容器に移すことなく包装容器を食器として活用することができる。
【図面の簡単な説明】
【図１】本発明の電子レンジ対応包装容器の分解斜視図である。
【図２】電子レンジ対応包装容器の容器本体を示し、（Ａ）は平面図、（Ｂ）は図２（Ａ）に示すＡ−Ａ線矢視断面図である。
【図３】蓋体の平面図である。
【図４】通気穴付きオーバーキャップの断面図である。
【図５】蓋体で密封した容器本体の平面図である。
【図６】電子レンジによる加熱前の、内容物を入れ蓋体で密封し通気穴付きオーバーキャップを被せた電子レンジ対応包装容器の電子レンジによる加熱前の拡大部分側断面図である。
【図７】電子レンジによる加熱中の、内容物を入れ蓋体で密封し通気穴付きオーバーキャップを被せた電子レンジ対応包装容器の電子レンジによる加熱後の拡大部分側断面図である。
【図８】電子レンジ対応包装容器を構成する、フィルム閉塞防止用突起を備える容器本体を示し（Ａ）は平面図、（Ｂ）は図８（Ａ）に示すＡ−Ａ線矢視断面図である。
【図９】電子レンジ対応包装容器を構成する容器本体の更に別の実施の形態を示し、（Ａ）は平面図、（Ｂ）は側断面図である。
【図１０】図９に示す容器本体と共に使用する蓋体の平面図である。
【図１１】インモールドラベル射出成形により形成した電子レンジ対応包装容器を構成する容器本体の別の実施の形態の側断面図である。
【符号の説明】
１      容器本体
２      蓋体
３      通気穴付きオーバーキャップ
４      フランジ
４ａ    フランジ領域
５      容器本体の周壁
６ａ    容器本体の錐面壁
６ｂ    容器本体の垂直壁
７      底部
８      シール部
８ａ    シール層
９      Ｖ字形シール部
１０    つかみ片
１１    通気穴付きオーバーキャップの周壁
１２    通気穴付きオーバーキャップの天部
１３    通気穴付きオーバーキャップの係止部
１４    通気穴
１４ａ  通気穴閉塞用舌片
１５    内容物
１６    水蒸気
１７    フィルム閉塞防止用突起
１８ａ、１８ｂ  インモールドラベル成形用ラベル
【図１】
2005035567.tif 000003
【図２】
2005035567.tif 000004
【図３】
2005035567.tif 000005
【図４】
2005035567.tif 000006
【図５】
2005035567.tif 000007
【図６】
2005035567.tif 000008
【図７】
2005035567.tif 000009
【図８】
2005035567.tif 000010
【図９】
2005035567.tif 000011
【図１０】
2005035567.tif 000012
【図１１】
2005035567.tif 000013